(57)【特許請求の範囲】
【請求項１】
軟質敷物が床下地面材の上に敷設されるとともに、前記軟質敷物の上に複数の硬質床材が並設されてなる建物の床構造であり、
前記複数の硬質床材は、各端面同士がはぎ合わせにより連結されるものであり、
前記硬質床材の下面側には、前記硬質床材を支持する縦板状の支持脚部が複数設けられており、
前記複数の支持脚部は、互いに同じ方向に延びるように設けられ、前記軟質敷物の上において前記硬質床材からの荷重を受ける下端部が、前記硬質床材の下面に沿う方向に延びる長手状をなしかつ下方に向けて尖った尖端部となっており、
前記尖端部は、前記支持脚部において対向する２つの傾斜面により形成されており、
前記支持脚部において前記尖端部の長手方向における一端側には、該長手方向における前記一端側への前記硬質床材のスライド時に前記軟質敷物に対して引っ掛かりを生じさせる引っ掛かり部が設けられ、他端側には、前記長手方向における前記他端側への前記硬質床材のスライド時に前記軟質敷物に対して前記引っ掛かりを生じさせない非引っ掛かり部が設けられており、
前記引っ掛かり部は、前記尖端部の長手方向の前記一端から前記他端側へ向かって上方に傾斜するか又は前記一端から鉛直に立ち上がる第１面部であり、
前記非引っ掛かり部は、前記尖端部の長手方向の前記他端から前記一端とは反対側に向かって上方に傾斜する第２面部であることを特徴とする建物の床構造。
【請求項２】
前記硬質床材は、隣接する二辺同士がそれぞれ直角をなす四角形状をなし、
前記複数の支持脚部は、前記尖端部の長手方向が前記硬質床材の端辺に対して斜めとなる角度でそれぞれ設けられている請求項１に記載の建物の床構造。
【請求項３】
前記硬質床材には、当該硬質床材の４つの端辺のうち隣接する２つの端辺の端面にそれぞれ実が設けられ、他の２つの端辺の端面に、前記実が挿し入れられる溝が設けられており、前記複数の硬質床材は、前記実と前記溝とにより前記硬質床材同士がはぎ合わされるものであり、
前記複数の支持脚部は、前記溝が設けられた２つの端辺の頂部側に向かう方向として定められた所定方向に向けて傾斜し、かつ前記所定方向において前記頂部側となる前記尖端部の端部側に、前記非引っ掛かり部を有していることを特徴とする請求項２に記載の建物の床構造。
【請求項４】
前記硬質床材の下面には下地シートが固定されており、該下地シートの下面側に前記複数の支持脚部が一体に設けられていることを特徴とする請求項１乃至３のいずれか一項に記載の建物の床構造。
【請求項５】
前記支持脚部により前記軟質敷物と前記硬質床材との間には配線又は配管を設置するための設置スペースが形成されており、
前記支持脚部には、前記設置スペースに設置される配線又は配管を支持する支持部が設けられていることを特徴とする請求項１乃至４のいずれか一項に記載の建物の床構造。
【請求項６】
隣接する硬質床材において対向する２つの端面のうち一方の端面には実が設けられ、他方の端面には溝が設けられており、前記実と前記溝とによりそれら硬質床材同士がはぎ合わされており、
前記実と前記溝との間の隙間には、圧縮状態で弾性シートが介在されていることを特徴とする請求項１乃至５のいずれか一項に記載の建物の床構造。
【発明の詳細な説明】
【技術分野】
【０００１】
本発明は、建物の床構造に関する。
【背景技術】
【０００２】
例えば、住宅等の建物では、居室等の室内空間における床仕上げとしてカーペット（絨毯）が敷設されている場合がある。こうして床仕上げ材としてカーペットが用いられる場合、床下地材の上面に接着材により貼り付けられて固定されることが一般的に行われている。この種のカーペットは、１９８０〜９０年台において居室の床仕上げとして多く用いられていた。
【０００３】
ところで、近年、居住者のニーズの変化や床仕上げ材の劣化等に伴って、床部をカーペット仕上げからフローリング仕上げに改装するリフォームが行われることがある。かかる場合、まずカーペットを床下地材から剥がし取り、その後、床下地材の上に複数のフローリング材を敷設していく作業を行っていくことになる。しかしながら、カーペットを床下地材から剥がし取る作業は非常に手間であり、その作業性の面で大きな課題を有していた。
【０００４】
そこで、かかる問題を解決するものとして、カーペットを床下地材から剥がし取らずに、カーペット上に直接フローリング材を敷設していく技術が種々提案されている。例えば、特許文献１には、フローリング材の下面側に当該フローリング材を下方から支持する支持脚部を複数設け、この支持脚部をカーペット上に設置することでフローリング材をカーペット上に直接敷設する構成が開示されている。この支持脚部は、先端部が針状とされており、その先端部はカーペットに突き刺された状態で床下地材の上面に到達している。これにより、支持脚部が床下地材に固定され、ひいてはフローリング材が固定されている。この場合、支持脚部が床下地材上に載置されていることから、カーペット上にフローリング材を直接設置したにもかかわらず、安定した床部を構築することができる。
【先行技術文献】
【特許文献】
【０００５】
【特許文献１】特開２０１０−２４６４２号公報
【発明の概要】
【発明が解決しようとする課題】
【０００６】
ところで、この種のフローリング材は、実はぎ等のはぎ合わせにより連結されるようになっており、対向する２つの側面のうちの一方に実（さね）が設けられ、他方に溝が設けられている。この場合、隣接する２つのフローリング材のうち一方のフローリング材の実が他方のフローリング材の溝に挿し入れられることで、これら各フローリング材は互いに連結される。
【０００７】
かかる実はぎによるフローリング材同士の連結を鑑みると、上記特許文献１の技術では以下のような問題が生じうる。すなわち、フローリング材を１つずつカーペット上に設置していく過程において、先に設置した（先付けした）フローリング材の溝部に対して後付けするフローリング材の実を挿し入れる際には、後付けのフローリング材をスライドさせてその実を先付けのフローリング材の溝に挿し込むこととなるが、上記特許文献１の技術では支持脚部の先端が針状となっているため、このスライド作業に際して、支持脚部の先端がカーペットの毛部（パイル）や基布の凹凸に引っ掛かる可能性がある。この場合、後付けのフローリング材をスムーズにスライドさせることができず、フローリング材の設置作業を円滑に行うことが困難になると考えられる。
【０００８】
本発明は、上記事情に鑑みてなされたものであり、軟質敷物上への硬質床材の設置作業を容易とすることができる建物の床構造を提供することを主たる目的とするものである。
【課題を解決するための手段】
【０００９】
上記課題を解決すべく、第１の発明の建物の床構造は、軟質敷物が床下地面材の上に敷設されるとともに、前記軟質敷物の上に複数の硬質床材が並設されてなる建物の床構造であり、前記複数の硬質床材は、各端面同士がはぎ合わせにより連結されるものであり、前記硬質床材の下面側には、前記硬質床材を支持する複数の支持脚部が設けられており、前記複数の支持脚部は、互いに同じ方向に延びるように設けられ、前記軟質敷物の上において前記硬質床材からの荷重を受ける下端部が、前記硬質床材の下面に沿う方向に延びる長手状をなしかつ下方に向けて尖った尖端部となっており、前記支持脚部において前記尖端部の長手方向における一端側には、該長手方向における前記一端側への前記硬質床材のスライド時に前記軟質敷物に対して引っ掛かりを生じさせる引っ掛かり部が設けられ、他端側には、前記長手方向における前記他端側への前記硬質床材のスライド時に前記軟質敷物に対して前記引っ掛かりを生じさせない非引っ掛かり部が設けられていることを特徴とする。
【００１０】
本発明によれば、硬質床材に複数の支持脚部が設けられており、これらの支持脚部を軟質敷物上に載置した状態で、支持脚部の尖端部の長手方向に硬質床材をスライドさせることできる。この場合、硬質床材を尖端部の長手方向における一端側にスライドさせる場合と、他端側にスライドさせる場合とでは、軟質敷物に対する支持脚部の引っ掛かりの具合が異なるものとなっている。すなわち、硬質床材を、尖端部の長手方向における一端側へスライドさせる場合には、支持脚部が軟質敷物に引っ掛かることなくスライドできる一方、他端側へスライドさせる場合には、支持脚部が軟質敷物に引っ掛かりスライドが規制される。したがって、軟質敷物上に先付けした硬質床材（以下、先付硬質床材という）に対し、次の硬質床材（以下、後付硬質床材という）を連結する際には、まず、支持脚部の非引っ掛かり部を先付硬質床材の側に向けた状態で後付硬質床材を軟質敷物上に載置し、その後、後付硬質床材を先付硬質床材の側にスライドさせることで両硬質床材を連結することができる。この場合、硬質床材の連結作業を円滑に行うことができる。また、かかる連結状態において、後付硬質床材は、先付硬質床材から離れる側へのスライドが規制されているため、後付硬質床材を床下地面材に釘打ちする等して固定する際に、後付硬質床材が当該離れる側へ位置ずれすることが防止されている。そのため、後付硬質床材が位置ずれしないように後付硬質床材を脚で押さえながら固定作業を行うといった煩わしい作業が発生するのを回避できる。よって、以上より、軟質敷物上への硬質床材の設置作業を容易とすることができる。
【００１１】
第２の発明の建物の床構造は、第１の発明において、前記支持脚部は、前記引っ掛かり部として、前記尖端部の長手方向の前記一端から前記他端側へ向かって上方に傾斜するか又は前記一端から鉛直に立ち上がる第１面部を有し、前記非引っ掛かり部として、前記尖端部の長手方向の前記他端から前記一端とは反対側に向かって上方に傾斜する第２面部を有することを特徴とする。
【００１２】
軟質敷物（カーペット等）には、下地面材に固定される基部（基布）と、基部から上方に延びる毛部（パイル）とを有しているものがある。この場合、本発明では、支持脚部において尖端部の長手方向の一端から他端側へ向かって上方傾斜するか又は前記一端から鉛直に立ち上がる第１面部が設けられているため、尖端部の長手方向における一端側へ硬質床材をスライドさせた場合に、第１面部において毛部の根元や基部の網目に対する引っ掛かりを生じさせることができる。その一方、支持脚部には、尖端部の長手方向の他端から一端とは反対側に向かって上方傾斜する第２面部が設けられているため、尖端部の長手方向における他端側へ硬質床材をスライドさせた場合に、第２面部において毛部の根元や基部の網目に対する引っ掛かりを生じさせないようにすることができる。
【００１３】
第３の発明の建物の床構造は、第１又は第２の発明において、前記硬質床材は、隣接する二辺同士がそれぞれ直角をなす四角形状をなし、前記複数の支持脚部は、前記尖端部の長手方向が前記硬質床材の端辺に対して斜めとなる角度でそれぞれ設けられていることを特徴とする。
【００１４】
軟質敷物上に先付けされた先付硬質床材に、後付硬質床材をスライドさせて連結していく場合、作業効率の点を鑑みると、一度のスライドで、後付硬質床材における隣接する二辺の端面を２つの先付硬質床材の端面に連結していくことが望ましい。この場合、後付硬質床材をスライドさせる方向は当該硬質床材の端辺に対して斜めとなる。そこで、本発明では、この点に鑑みて、支持脚部の尖端部の長手方向を硬質床材の端辺に対して斜めを向けることで、同斜め方向への硬質床材のスライドを可能としている。この場合、支持脚部の非引っ掛かり部を先付硬質床材側に向けた状態で、後付硬質床材をその端辺に対し斜めにスライドさせることで、後付硬質床材における隣接する２つの端面を先付硬質床材の端面に一度に連結できる。これにより、硬質床材の設置作業について作業効率の向上を図りつつ、上記第１の発明の効果を得ることができる。
【００１５】
第４の発明の建物の床構造は、第３の発明において、前記硬質床材には、当該硬質床材の４つの端辺のうち隣接する２つの端辺の端面にそれぞれ実が設けられ、他の２つの端辺の端面に、前記実が挿し入れられる溝が設けられており、前記複数の硬質床材は、前記実と前記溝とにより前記硬質床材同士がはぎ合わされるものであり、前記複数の支持脚部は、前記溝が設けられた２つの端辺の頂部側に向かう方向として定められた所定方向に向けて傾斜し、かつ前記所定方向において前記頂部側となる前記尖端部の端部側に、前記非引っ掛かり部を有していることを特徴とする。
【００１６】
硬質床材同士を実はぎにより連結していく構成では、硬質床材において隣接する２つの端辺の端面に実が設けられ、他の２つの端辺の端面に溝が設けられることが多い。かかる場合、作業効率の点を鑑みると、後付硬質床材をその端辺に対して斜めにスライドさせることで、同硬質床材の２つの端面に設けられた各溝をそれぞれ、２つの先付硬質床材の実に一度に連結することが考えられる。そして、連結後、後付硬質床材の実を釘等を用いて床下地面材に固定することが考えられる。そこで、本発明では、この点に鑑みて、支持脚部を、硬質床材において溝が設けられた２つの端辺の頂部側に向かう方向として定められた所定方向に傾斜して設け、そして、支持脚部において頂部側となる尖端部の端部側に非引っ掛かり部を設けることとしている。この場合、支持脚部の非引っ掛かり部を先付硬質床材側に向けた状態で、後付硬質床材をその端辺に対し斜めにスライドさせることで、後付硬質床材における隣接する２つの端面の各溝を、２つの先付硬質床材の実に対し一度に連結できる。したがって、実と溝との実はぎにより連結する構成において、上記第３の発明と同様の効果を得ることができる。
【００１７】
第５の発明の建物の床構造は、第１乃至第４のいずれかの発明において、前記硬質床材の下面には下地シートが固定されており、該下地シートの下面側に前記複数の支持脚部が一体に設けられていることを特徴とする。
【００１８】
本発明によれば、下地シートを硬質床材の下面に固定することで、該下地シートに一体に設けられている複数の支持脚部を硬質床材側に一挙に取り付けることができる。これにより、複数の支持脚部を硬質床材に直接取り付ける場合と比べ、支持脚部の取付作業を容易とすることができる。
【００１９】
第６の発明の建物の床構造は、第１乃至第５のいずれかの発明において、前記支持脚部により前記軟質敷物と前記硬質床材との間には配線又は配管を設置するための設置スペースが形成されており、前記支持脚部には、前記設置スペースに設置される配線又は配管を支持する支持部が設けられていることを特徴とする。
【００２０】
本発明によれば、支持脚部により形成された軟質敷物と硬質床材との間のスペースを配線又は配管を設置する設置スペースとして有効利用できる。しかも、配線又は配管を支持脚部に設けられた支持部により支持できるため、当該設置スペースに配線又は配管を好適に設置できる。
【００２１】
第７の発明の建物の床構造は、第１乃至第６のいずれかの発明において、隣接する硬質床材において対向する２つの端面のうち一方の端面には実が設けられ、他方の端面には溝が設けられており、前記実と前記溝とによりそれら硬質床材同士がはぎ合わされており、前記実と前記溝との間の隙間には、圧縮状態で弾性シートが介在されていることを特徴とする。
【００２２】
本発明によれば、実と溝との間の隙間に圧縮状態で介在された弾性シートにより実と溝との密着性を高めることができるため、実が溝から抜け出るのを抑制できる。また、硬質床材上を人が移動する際に生じうる実と溝との衝突を弾性シートによって緩和できるため、防音効果や防振効果を得ることもできる。
【図面の簡単な説明】
【００２３】
【図１】床部の構成を示す縦断面図。
【図２】カーペットを拡大して示す縦断面図。
【図３】硬質床パネルの構成を示しており、（ａ）が同構成を示す平面図、（ｂ）が正面図、（ｃ）が底面図、（ｄ）が側面図。
【図４】支持部材の一部を示す斜視図。
【図５】硬質床パネルの設置手順を説明するための説明図。
【図６】支持脚を硬質床仕上げ材に直接取り付ける場合の構成を示す斜視図。
【図７】支持脚の尖端部の長さ方向における一方側から見た支持脚周辺の構成を示す図。
【図８】分割配線が設けられた硬質床パネルの底面図。
【発明を実施するための形態】
【００２４】
以下に、本発明を具体化した一実施の形態について図面を参照しつつ説明する。なお、図１は床部の構成を示す縦断面図であり、図２はカーペットを拡大して示す縦断面図である。
【００２５】
図１に示すように、建物の床部１０は、図示しない根太上に設けられた床下地面材１１を有している。床下地面材１１は、例えばパーティクルボードにより形成されている。床下地面材１１の上面には、軟質敷物としてのカーペット（絨毯）１２が敷設されている。カーペット１２は、床下地面材１１の上面に接着剤により固定されている。
【００２６】
カーペット１２は、図２に示すように、刺繍カーペット（タフテッドカーペット）からなり、床下地面材１１に接着される基部である基布１４（図１ではハッチングで示す）と、基布１４から上方に延びる毛部としてのパイル１５とを有している。基布１４には、パイル糸がミシン等により植えつけられており、そのパイル糸によりパイル１５が形成されている。パイル１５は、ループパイルからなり、例えば基布１４からの立ち上がり長さ（詳細には自然状態における立ち上がり長さ）が約５ｍｍとなっている。
【００２７】
なお、カーペット１２は、刺繍カーペットに限ることなく、織物カーペット（例えばウィルトンカーペット）等その他のカーペットであってもよい。また、パイル１５は、ループがカットされたカットパイルであってもよい。
【００２８】
カーペット１２上には、複数の硬質床パネル２０が水平方向に並べて設けられている。本実施形態では、これらの硬質床パネル２０が、建物のリフォーム（改装）の際にカーペット１２上に設置されるものとなっている。各硬質床パネル２０は、平面視においてカーペット１２上に升目状に配置されており（図５参照）、その配置状態において隣接する硬質床パネル２０同士が互いに連結された状態となっている。そして、これら複数の硬質床パネル２０によって略連続した床仕上げ面１７が形成されている。
【００２９】
次に、硬質床パネル２０の構成について図１に加え図３を参照しつつ説明する。なお、図３は、硬質床パネル２０の構成を示しており、（ａ）が同構成を示す平面図、（ｂ）が正面図、（ｃ）が底面図、（ｄ）が側面図である。
【００３０】
図１及び図３に示すように、硬質床パネル２０は、床仕上げ面１７を形成する硬質床仕上げ材２１と、硬質床仕上げ材２１の下面に設けられ当該床仕上げ材２１を下方から支持する支持部材２２とを備える。硬質床仕上げ材２１は、フローリングにより形成されているおり、幅狭の長方形状をなしている。本実施形態では、硬質床仕上げ材２１として、長辺側の長さが１８００ｍｍ、短辺側の長さが３００ｍｍの大きさのものを用いている。
【００３１】
硬質床仕上げ材２１における隣り合う二つの端面（側面）には、その厚み方向における中間部に実部２６（雄実ともいう）が設けられている。実部２６は、各々の端面から側方に突出して設けられ、かつ、各々の端面の延びる方向に連続して形成されている。以下では、長辺側の実部を２６ａ、短辺側の実部を２６ｂとする。
【００３２】
一方、硬質床仕上げ材２１におけるもう一方側（つまり、実部２６が設けられていない側）の隣り合う二つの端面（側面）には、その厚み方向における中間部に溝部２７（雌実ともいう）が設けられている。溝部２７は、各々の端面において当該端面の延びる方向に連続して形成されている。以下では、長辺側の溝部を２７ａ、短辺側の溝部を２７ｂとする。溝部２７は、硬質床仕上げ材２１の厚み方向において実部２６と同じ位置に形成されており、その溝幅が実部２６の高さ寸法と略同じに設定されている。そのため、隣接する硬質床仕上げ材２１同士のうち一方の硬質床仕上げ材２１の溝部２７に、他方の硬質床仕上げ材２１の実部２６を挿入することで、溝部２７と実部２６とを嵌合させ、それら硬質床仕上げ材２１同士を互いに連結することが可能となっている。すなわち、硬質床仕上げ材２１同士を本実はぎにより連結（接合）することが可能となっている。なお、詳細には、長辺側の実部２６ａと長辺側の溝部２７ａとが互いに嵌合し合い、短辺側の実部２６ｂと短辺側の溝部２７ｂとが互いに嵌合し合うようになっている。また、実部２６と溝部２７とが、それぞれ連結部に相当するものとなっている。
【００３３】
次に、支持部材２２について図３に加え図４に基づいて説明する。なお、図４は支持部材２２の一部を示す斜視図である。
【００３４】
支持部材２２は、硬質床仕上げ材２１の下面に設けられる下地シート２３と、下地シート２３の下面に取り付けられた複数の支持脚２４とを備える。下地シート２３と支持脚２４とは共に同じ樹脂材料からなり、一体成形により形成されている。下地シート２３は、硬質床仕上げ材２１と略同じ大きさ（縦横寸法）を有して形成されている。
【００３５】
支持脚２４は、下地シート２３から下方に突出して設けられており、下地シート２３の下面に沿って延びる板状（縦板状）をなしている。具体的には、支持脚２４は、対向する２つの板面が下方に向かうにつれて近づく傾斜面３９（テーパ面）となっており、その厚みが下方に向かうにつれて小さくなっている。そして、２つの傾斜面３９により支持脚２４の下端部に先の尖った尖端部３１が形成されている。尖端部３１は、支持脚２４の長さ方向（厚み方向に直交する水平方向）に延びる直線状をなしており、後述するように、支持脚２４においてカーペット１２上に載置され硬質床パネル２０の荷重を受ける部分となっている。
【００３６】
支持脚２４には、尖端部３１の長手方向の一端から上方に立ち上がる立ち上がり面部３５が設けられている。詳細には、立ち上がり面部３５は、尖端部３１に対して直交する方向（すなわち鉛直方向）に立ち上がっており、そのため尖端部３１と立ち上がり面部３５との間には直角をなす角部３７が形成されている。なおここで、立ち上がり面部３５が第１面部に相当する。
【００３７】
一方、支持脚２４には、尖端部３１の長手方向の他端から立ち上がり面部３５とは反対側に向かって上方に円弧状をなして延びる円弧面部３６が設けられている。この円弧面部３６は、支持脚２４の外側に向けて凸となる円弧状をなしており、尖端部３１に対して滑らかに連続している。詳細には、円弧面部３６における尖端部３１との境界部では、円弧面部３６の円周方向と尖端部３１の長手方向とが同一方向となっている。換言すると、円弧面部３６は、その尖端部３１側の端部において当該尖端部３１に対し１８０°（平角）をなしている。したがって、尖端部３１と円弧面部３６との間には、角部が存在していない。なおここで、円弧面部３６が第２面部に相当する。
【００３８】
また、本実施形態では、支持脚２４の上下高さが３ｍｍに設定されている。したがって、カーペット１２上において硬質床仕上げ材２１を支持脚２４により下方から支持する構成において、硬質床仕上げ材２１の床面１７高さが、従来のカーペット１２の床面高さと比べ、極力高くならないよう配慮がされている。
【００３９】
支持脚２４は、下地シート２３の下面において、尖端部３１の長手方向が、下地シート２３の端辺に対して斜めを向く向きで取り付けられている。具体的には、支持脚２４は、尖端部３１の長手方向が下地シート２３の端辺に対して４５°の角度をなす向きで設けられている。
【００４０】
支持脚２４は、下地シート２３の長手方向に沿って所定間隔で複数（図３では１４個）設けられており、支持脚列を形成している。この支持脚列は、下地シート２３の短手方向に沿って所定間隔で複数列（図３では３列）設けられている。この場合、複数の支持脚２４は、下地シート２３の全域においてほぼ均一に配置されている。また、かかる配置状態において、支持脚２４は、尖端部３１の長手方向に沿って複数（図３では３つ）並んで設けられている。
【００４１】
支持部材２２は、下地シート２３が硬質床仕上げ材２１の下面（裏面）に接着剤により貼り付けられることで、当該床仕上げ材２１に固定されている。この支持部材２２の硬質床仕上げ材２１に対する固定状態では、支持脚２４の尖端部３１が硬質床仕上げ材２１の長手方向（換言すると硬質床仕上げ材２１の端辺）に対して斜めを向いており、詳しくは当該長手方向に対して４５°の角度をなす向きで設けられている。より詳しくは、支持脚２４の尖端部３１は、硬質床仕上げ材２１において溝部２７が設けられた２つの端辺の頂部３３側に向かう方向として定められた所定方向に傾斜しており、支持脚２４において頂部３３側の端部に円弧面部３６が配置されている。したがって、この場合、硬質床仕上げ材２１の長手方向において支持脚２４の立ち上がり面部３５が硬質床仕上げ材２１の実部２６ｂ側に位置し、支持脚２４の円弧面部３６が硬質床仕上げ材２１の溝部２７ｂ側に位置している。また、硬質床仕上げ材２１の短手方向において支持脚２４の立ち上がり面部３５が硬質床仕上げ材２１の実部２６ａ側に位置し、支持脚２４の円弧面部３６が硬質床仕上げ材２１の溝部２７ａ側に位置している。
【００４２】
なお、必ずしも支持部材２２を硬質床仕上げ材２１に接着剤で固定する必要はなく、釘やビス、ステープル等の固定具を用いて固定してもよい。但し、この場合、硬質床仕上げ材２１から固定具が突出しないように配慮する必要がある。また、本実施形態では、硬質床仕上げ材２１と支持部材２２とを予め工場において硬質床パネル２０として一体化し、リフォーム現場に持ち込むことを想定している。但し、硬質床仕上げ材２１と支持部材２２とを別々にリフォーム現場に持ち込み、それら両部材を現場で一体化してもよい。
【００４３】
次に、カーペット１２上における硬質床パネル２０の設置構成について説明する。
【００４４】
図１に示すように、複数の硬質床パネル２０はそれぞれ、支持部材２２の支持脚２４がカーペット１２上に載置されることにより設置されている。かかる設置状態において、隣接する硬質床パネル２０同士は、互いの硬質床仕上げ材２１の端面同士をはぎ合わせることにより連結されている。具体的には、隣接する各硬質床仕上げ材２１のうち、一方の硬質床仕上げ材２１の実部２６が、他方の硬質床仕上げ材２１の溝部２７に挿入されることにより、それら各硬質床仕上げ材２１は互いにはぎ合わされ連結されている。
【００４５】
各硬質床パネル２０は、床下地面材１１に対して釘４１により固定されている。この釘４１は、硬質床仕上げ材２１の実部２６の根元部分に対して斜め上方から打ち込まれており、硬質床仕上げ材２１、支持部材２２及びカーペット１２を貫通して床下地面材１１に打ち付けられている。
【００４６】
支持脚２４は、カーペット１２上において基布１４上に載置されている。具体的には、支持脚２４の尖端部３１が基布１４上に載置され、同尖端部３１が基布１４上において硬質床仕上げ材２１からの荷重を受ける構成となっている。この場合、尖端部３１が尖った形状を有していることから、カーペット１２上に硬質床パネル２０が載置される際には、支持脚２４がパイル１５の間を通り、その尖端部３１が基布１４まで達する。そのため、パイル１５は支持脚２４の下に踏まれる可能性が低いものとなっており、仮に踏まれたとしてもわずかとなっている。したがって、硬質床パネル２０は、カーペット１２上において比較的固い基布１４上に安定した状態で設置されており、これによりカーペット１２上において床上を歩いてもふわふわすることのない硬質床が構築されている。
【００４７】
また、上述したように、本実施形態では、支持脚２４の高さ（３ｍｍ）がパイル１５の長さ（５ｍｍ）よりも小さい寸法となっていることから、硬質床パネル２０の設置状態では支持部材２２の下地シート２３によりパイル１５が若干倒された状態となっている。この点について捕捉しておくと、かかる状態でも支持脚２４はカーペット１２の基布１４上に載置されているため、硬質床パネル２０の荷重の大部分は固い基布１４上で支えられており、パイル１５で支えられているわけではない。したがって、パイル１５が下地シート２３で若干倒されてはいるものの、硬質床パネル２０は安定した状態でカーペット１２上に設置されている。
【００４８】
ところで、本実施形態では、硬質床パネル２０をカーペット１２上に載置した状態でスライドさせることが可能となっており、カーペット１２上への硬質床パネル２０の設置作業の際には、後述するように、カーペット１２上に先付けした硬質床パネル２０に対して後付けする硬質床パネル２０をスライドさせることにより連結することとしている。以下、硬質床パネル２０のスライド移動の作用について説明する。
【００４９】
支持脚２４は、カーペット１２上に載置された状態で尖端部３１の長手方向へのスライドが可能となっている。具体的には、支持脚２４は、尖端部３１の長手方向における円弧面部３６側にスライドされる場合には、円弧面部３６がカーペット１２（詳しくは基布１４の網目やパイル１５の根元）に対して引っ掛かることなくスライドされる一方、尖端部３１の長手方向における立ち上がり面部３５側にスライドされる場合には、立ち上がり面部３５がカーペット１２に引っ掛かりスライドが規制される。したがって、支持脚２４ひいては硬質床パネル２０は、尖端部３１の長手方向において円弧面部３６側にのみスライドが可能とされている。
【００５０】
また、支持脚２４の尖端部３１は上述したように尖った形状を有しているため、支持脚２４がカーペット１２上においてスライドされる際には、支持脚２４がパイル１５の間を通過しながら、かつ尖端部３１が基布１４上に載置された状態でスライドされる。そのため、支持脚２４のスライドに際し、パイル１５は支持脚２４の下に踏まれる可能性が低いものとなっており、仮に踏まれたとしてもわずかとなっている。これにより、パイル１５が支持脚２４の下敷きとなることで、支持脚２４のスライドが妨げられる等の不都合が生ずるのを抑制している。
【００５１】
次に、リフォームの際に、カーペット１２上に硬質床パネル２０を設置する設置作業の手順について図５に基づいて説明する。図５は、硬質床パネル２０の設置手順を説明するための説明図である。なお、図５では、便宜上、硬質床パネル２０における短手方向の長さに対する長手方向の長さの比率を実際のものよりも小さくして図示している。また、図５においてカーペット１２は直交する２辺Ａ，Ｂを有し、カーペット１２上にはＡに沿ってｍ個の硬質床パネル２０が敷設され、Ｂに沿ってｎ個の硬質床パネル２０が敷設されるようになっている。この場合、Ａに沿う方向であるＸ方向にｍ個の硬質床パネル２０が敷設され、その作業がＹ方向に移行しながらｎ列分行われる。
【００５２】
まず、図５（ａ）に示すように、カーペット１２上において、直交する２辺Ａ，Ｂの間の隅部４７に最初の硬質床パネル２０Ａを設置する。この場合、硬質床パネル２０Ａの硬質床仕上げ材２１Ａにおける２つの溝部２７ａ，２７ｂをそれぞれカーペット１２の各辺Ａ，Ｂ（詳細には隣接する各辺Ａ，Ｂ）の側に向けた状態で硬質床パネル２０Ａをカーペット１２上に載置し、その載置状態で床下地面材１１に対し釘４１で固定する。なお、詳しくは、長辺側の溝部２７ａをカーペット１２の辺Ａの側に向け、短辺側の溝部２７ｂを辺Ｂの側に向けた状態で硬質床パネル２０Ａを設置する。
【００５３】
続いて、次の硬質床パネル２０Ｂを、先付けした硬質床パネル２０Ａの隣（Ｘ方向における隣）に設置する作業を行う。この場合、まず硬質床パネル２０Ｂを、支持脚２４の円弧面部３６側（換言すると硬質床仕上げ材２１の頂部３３側）を硬質床パネル２０Ａの側に向けた状態で、カーペット１２上に載置する。このとき、硬質床パネル２０Ｂの硬質床仕上げ材２１Ｂの各溝部２７ａ，２７ｂはそれぞれカーペット１２の各辺Ａ，Ｂの側を向いた状態となる。その後、硬質床パネル２０Ｂを、支持脚２４の尖端部３１の長手方向に沿って換言すると硬質床仕上げ材２１Ｂの端辺に対し斜めとなる方向にスライドさせ、硬質床パネル２０Ｂの硬質床仕上げ材２１Ｂの溝部２７ｂに硬質床パネル２０Ａの硬質床仕上げ材２１Ａの実部２６ｂをはめ込む。これにより、硬質床仕上げ材２１Ａ，２１Ｂ同士が互いにはぎ合わせられ、硬質床パネル２０Ｂと硬質床パネル２０Ａとが連結される。この場合、硬質床パネル２０同士の連結作業を円滑に行うことができる。
【００５４】
硬質床パネル２０Ａ，２０Ｂ同士の連結後、硬質床パネル２０Ｂを釘４１で床下地面材１１に固定する。この場合、硬質床パネル２０Ｂは、立ち上がり面部３５側へのスライドが、すなわち尖端部３１の長手方向において硬質床パネル２０Ａから離れる側へのスライドが規制されているため、硬質床パネル２０Ｂを脚等で押さえたりすることなく釘打ち作業を行うことができる。
【００５５】
次に、硬質床パネル２０Ｂの隣（Ｘ方向における隣）に硬質床パネル２０Ｃを設置する。これにより、１列目の硬質床パネル２０Ａ〜２０Ｃの設置が完了する。
【００５６】
次に、２列目の硬質床パネル２０Ｄ〜２０Ｆを設置する作業を行う。ここではまず、図５（ｂ）に示すように、カーペット１２の辺Ｂに沿って配置される硬質床パネル２０Ｄを硬質床パネル２０Ａの隣（Ｙ方向における隣）に設置する作業を行う。この場合、上述した１列目の硬質床パネル２０Ａ〜２０Ｃの設置の場合と同様、まず硬質床パネル２０Ｄを、支持脚２４の円弧面部３６側を硬質床パネル２０Ａ側に向けた状態でカーペット１２上に載置し、その後、硬質床パネル２０Ｄを尖端部３１の長手方向に沿って硬質床パネル２０Ａ側にスライドさせる。これにより、硬質床仕上げ材２１Ｄの溝部２７ａに硬質床仕上げ材２１Ａの実部２６ａがはめ込まれ、硬質床パネル２０Ｄと硬質床パネル２０Ａとが連結される。その後、硬質床パネル２０Ｄを床下地面材１１に対し釘４１で固定する。
【００５７】
次に、図５（ｃ）に示すように、硬質床パネル２０Ｅを硬質床パネル２０ＢのＹ方向の隣でありかつ硬質床パネル２０ＤのＸ方向の隣である位置に設置する。この場合、上記硬質床パネル２０Ｄの設置の場合と同様、まず硬質床パネル２０Ｅを、支持脚２４の円弧面部３６側を硬質床パネル２０Ｂ，２０Ｄ側に向けた状態でカーペット１２上に載置する。その後、硬質床パネル２０Ｅを、支持脚２４の尖端部３１の長手方向に沿って換言すると硬質床仕上げ材２１Ｅの端辺に対して斜めとなる方向に、硬質床パネル２０Ｂ，２０Ｄ側に向けてスライドさせる。これにより、硬質床仕上げ材２１Ｅの溝部２７ａに硬質床仕上げ材２１Ｂの実部２６ａがはめ込まれ、かつ、硬質床仕上げ材２１Ｅの溝部２７ｂに硬質床仕上げ材２１Ｄの実部２６ｂがはめ込まれる。すなわち、この場合、一回のスライドで、硬質床仕上げ材２１Ｅにおける隣接する２つの端面の溝部２７ａ，２７ｂがそれぞれ各硬質床仕上げ材２１Ｂ，２１Ｄの実部２６にはめ込まれる。そして、これにより、硬質床パネル２０Ｅは各硬質床パネル２０Ｂ，２０Ｄに対して連結される。その後、硬質床パネル２０Ｅを床下地面材１１に対して釘４１で固定する。
【００５８】
以下、同様の手順で、残りの硬質床パネル２０Ｆ，２０Ｇ・・・を順次カーペット１２上に設置していく。そして、すべての硬質床パネル２０が設置されたことをもって、一連の設置作業が終了する。
【００５９】
以上、詳述した本実施形態の構成によれば、以下の優れた効果が得られる。
【００６０】
硬質床仕上げ材２１の下面に下地シート２３を貼り付け、該下地シート２３の下面側に複数の支持脚２４を一体に設けた。そのため、下地シート２３を硬質床仕上げ材２１の下面に貼り付けることで、複数の支持脚２４を硬質床仕上げ材２１側に一挙に取り付けることができる。これにより、複数の支持脚２４を硬質床仕上げ材２１に直接取り付ける場合と比べ、支持脚２４の取付作業を容易とすることができる。
【００６１】
本発明は上記実施形態に限らず、例えば次のように実施されてもよい。
【００６２】
（１）上記実施形態では、尖端部３１に対して直角をなすように立ち上がり面部３５（第１面部に相当）設けたが、これを変更し、尖端部３１に対して鋭角をなすように第１面部を設けてもよい。すなわち、第１面部を、支持脚２４において尖端部３１の長手方向の一端（円弧面部３６とは反対側の端部）から他端側（円弧面部３６側）に向かって上方傾斜するように設けてもよい。かかる場合にも、支持脚２４を尖端部３１の長手方向における一端側へスライドさせる際には、第１面部においてカーペット１２に対する引っ掛かりを生じさせることができる。
【００６３】
また、上記実施形態では、第２面部として円弧面部３６を設けたが、第２面部は必ずしも円弧面状に形成する必要はない。例えば、支持脚２４に、尖端部３１の長手方向における他端（すなわち立ち上がり面部３５とは反対側の端部）から、当該立ち上がり面部３５とは反対側に向かって平面状に上方傾斜する第２面部を設けてもよい。この場合、第２面部は、尖端部３１に対して鈍角をなすように形成される。かかる構成においても、支持脚２４を尖端部３１の長手方向における他端側へスライドさせる際には、第２面部においてカーペット１２に対する引っ掛かりを生じさせないようにすることができる。
【００６４】
（２）上記実施形態では、支持脚２４を、その尖端部３１が硬質床仕上げ材２１の長手方向（換言すると硬質床仕上げ材２１の端辺の延びる方向）に対して４５°の傾斜角度で傾斜する向きで、当該床仕上げ材２１に取り付けたが、上記の傾斜角度を４５°以外の角度（例えば２０°〜７０°のうち４５°以外の角度）としてもよい。また、支持脚２４を、その尖端部３１の長手方向が硬質床仕上げ材２１の長手方向と同じ方向を向く向きで、又は、硬質床仕上げ材２１の長手方向と直交する方向を向く向きで、硬質床仕上げ材２１に取り付けてもよい。つまり、支持脚２４を尖端部３１の長手方向が硬質床仕上げ材２１の端辺と同じ方向を向く向きで取り付けてもよい。この場合、後付けの硬質床パネル２０を先付けの硬質床パネル２０に連結していく場合に、後付けの硬質床パネル２０を、硬質床仕上げ材２１の端辺方向にスライドさせることで連結できる。
【００６５】
（３）上記実施形態では、複数の支持脚２４を下地シート２３を介して硬質床仕上げ材２１に取り付けたが、これを変更し、複数の支持脚２４を硬質床仕上げ材２１に直接取り付けてもよい。例えば図６（ａ）では、支持脚２４に、当該支持脚２４から上方に一部が突出するように釘６２が埋設されており、その釘６２が硬質床仕上げ材２１に打ち込まれることにより支持脚２４が硬質床仕上げ材２１に直接固定されている。この場合、下地シート２３の厚み分硬質床仕上げ材２１の床面１７高さを低くできるため、当該床面１７高さを従来のカーペット１２の床面高さにより近づけることができる。
【００６６】
また、支持脚２４は必ずしも釘６２により硬質床仕上げ材２１に固定する必要はなく、その他の手段により固定してもよい。例えば、図６（ｂ）に示すように、支持脚２４の上側面に、板金からなる固定部材６４を取り付けて、その固定部材６４により支持脚２４を硬質床仕上げ材２１に固定してもよい。固定部材６４は、矩形形状の平板部６５と、その四隅において上側に折り曲げられ先の尖った小片部６６とからなる。この場合、小片部６６を硬質床仕上げ材２１に打ち込むことで、支持脚２４を固定部材６４を介して硬質床仕上げ材２１に固定できる。また、図６（ｃ）に示すように、小片部６６は、平板部６５において対角となる２つの隅にのみ設けられていてもよい。
【００６７】
（４）上記実施形態では、隣接する硬質床仕上げ材２１同士を、一方の硬質床仕上げ材２１の実部２６を他方の硬質床仕上げ材２１の溝部２７にはめ込む本実はぎにより連結（接合）したが、これら硬質床仕上げ材２１同士を連結するはぎ合わせの構成はこれに限定されない。例えば、隣接する硬質床仕上げ材２１において対向する端面同士の一方については板厚の半分だけ上側を欠き取り、他方については板厚の半分だけ下側を欠き取って、相じゃくり継ぎによりそれら硬質床仕上げ材２１同士をはぎ合わせてもよい。
【００６８】
（５）支持脚２４により形成されたカーペット１２と下地シート２３との間のスペースに配線Ｈを設置してもよい。その一例を図７に示す。図７は、支持脚の尖端部の長さ方向（厚み方向に直交する方向）における一方側から見た支持脚周辺の構成を示す図である。図７に示す支持脚５４は、上記実施形態の支持脚２４よりも上下高さが大きくなっており（例えば上下高さが１０ｍｍ）、この支持脚５４によりカーペット１２と下地シート２３との間には配線Ｈを設置する設置スペースＳが形成されている。この設置スペースＳにおいて、配線Ｈは、支持脚５４の尖端部５５の長手方向に沿って配列された複数の支持脚５４列の間（列間）に設けられており、当該列間において尖端部５５の長手方向に沿って延びている。
【００６９】
配線Ｈを挟んで両側に設けられる各支持脚５４には、配線Ｈを支持する配線支持部５７が設けられている。配線支持部５７は、支持脚５４から側方に延びており、配線Ｈを下方から支持している。また、配線支持部５７は、配線Ｈの下方に設けられることで、配線Ｈとカーペット１２のパイル１５との接触を防止する役割も果たしている。この場合、支持脚５４により形成されたカーペット１２と硬質床仕上げ材２１との間のスペースを配線Ｈ用スペースとして有効利用できるとともに、配線支持部５７により配線Ｈを支持することができるため配線Ｈを同スペースに好適に設置できる。
【００７０】
また、上記設置スペースＳに、配線Ｈとして、弱電配線（信号ライン）と強電配線（動力ライン）との両方を設置してもよい。この場合、弱電配線と強電配線とを支持脚２４を挟んだ両側に設けることで、これら各配線を支持脚２４により互いに隔てて配置することができる。
【００７１】
なお、設置スペースＳには、配線Ｈに代えて又は加えて、床暖房用配管等の配管類を設置してもよい。
【００７２】
（６）図８に示すように、各硬質床パネル２０ごとに配線を分割し、その分割した分割配線５８を硬質床パネル２０ごとに予め一体に設けてもよい。なお、図８は、分割配線５８が設けられた硬質床パネル２０の底面図である。図８では、分割配線５８の両端部に、分割配線５８同士を接続するためのコネクタ５９，６０が設けられている。両コネクタ５９，６０は互いに接続可能となっている。この場合、先付けされた硬質床パネル２０Ａに対して、後付けする硬質床パネル２０Ｂをスライドにより連結する際に、硬質床パネル２０Ａのコネクタ５９と硬質床パネル２０Ｂのコネクタ６０とが接続され、分割配線５８同士が電気的に接続されるようになっている。これにより、設置スペースＳに配線を設置する場合において、その設置作業を容易化することができる。
【００７３】
（７）溝部２７への実部２６の挿入状態において、実部２６と溝部２７との間の隙間に、弾性を有する弾性シートを圧縮状態で介在させてもよい。例えば、実部２６の表面及び溝部２７の内側面のうち少なくともいずれかに弾性シートを予め貼り付けておいてから、実部２６を溝部２７に挿入することで、かかる状態とすることができる。この場合、弾性シートにより実部２６と溝部２７との密着性を高めることができるため、溝部２７からの実部２６の抜けを抑制することができる。また、硬質床パネル２０上を人が移動する際に生じる実部２６と溝部２７との衝突を弾性シートによって緩和できるため、防音効果や防振効果を得ることもできる。
【００７４】
（８）上記実施形態では、硬質床仕上げ材２１としてフローリング、すなわち木質系の板材を用いたが、硬質床仕上げ材２１を樹脂や金属等その他の硬質材料により形成してもよい。
【符号の説明】
【００７５】
１０…床部、１１…床下地面材、１２…軟質敷物としてのカーペット、２０…硬質床パネル、２１…硬質床材としての硬質床仕上げ材、２２…支持部材、２３…下地シート、２４…支持脚部としての支持脚、２６…実としての実部、２７…溝としての溝部、３１…尖端部、３３…頂部、３５…引っ掛かり部及び第１面部としての立ち上がり面部、３６…非引っ掛かり部及び第２面部としての円弧面部、５７…支持部としての配線支持部。
【図１】
0005616805.tif 000002
【図２】
0005616805.tif 000003
【図３】
0005616805.tif 000004
【図４】
0005616805.tif 000005
【図５】
0005616805.tif 000006
【図６】
0005616805.tif 000007
【図７】
0005616805.tif 000008
【図８】
0005616805.tif 000009